【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
複数の計算機と、複数のネットワーク装置を介して前記複数の計算機と接続される制御装置とを備えるネットワークシステムであって、
前記制御装置は、
複数の第１のアドレスと、前記各第１のアドレスを第２のアドレスに変換するための変換規則を保持し、
前記各計算機からの要求に従って、一つの前記第１のアドレスと、一つの前記変換規則とを抽出し、
前記抽出された第１のアドレスと変換規則とを、前記要求した計算機に送信し、
前記各計算機は、
前記第１のアドレスを前記送信された変換規則によって前記第２のアドレスに変換し、
前記第２のアドレスを保持することを特徴とするネットワークシステム。
【請求項２】
第１の前記計算機は、第２の前記計算機に接続され、
前記第１の計算機は、
前記第１のアドレスを含むパケットを受信した場合、前記送信された変換規則によって、当該パケットに含まれる第１のアドレスを第２のアドレスに変換し、
前記第２のアドレスを当該パケットに付加し、
前記第２のアドレスが付加されたパケットを、当該第２のアドレスを保持する第２の計算機へ送信し、
前記第２の計算機は、前記第１の計算機から送信されたパケットに付加された第２のアドレスを削除することを特徴とする請求項１に記載のネットワークシステム。
【請求項３】
前記各計算機は、前記各計算機が前記各ネットワーク装置に接続された際に、前記制御装置へ前記要求を送信することを特徴とする請求項１に記載のネットワークシステム。
【請求項４】
前記各計算機は、少なくとも一つの仮想ネットワークに接続され、
前記各計算機から前記制御装置に送信された要求は、前記各計算機が接続された仮想ネットワークを示す識別子を含み、
前記制御装置は、
前記仮想ネットワークに対応する、前記変換規則を保持し、
前記送信された要求に含まれる仮想ネットワークを示す識別子に従って、前記変換規則を、前記要求した計算機に送信することを特徴とする請求項１に記載のネットワークシステム。
【請求項５】
複数の計算機と、複数のネットワーク装置を介して前記複数の計算機と接続される制御装置とを備えるネットワークシステムであって、
前記制御装置は、
複数の第１のアドレスと、第２のアドレスを前記各第１のアドレスに変換するための変換規則を保持し、
前記各ネットワーク装置の要求に従って、一つの前記第１のアドレスと、一つの前記変換規則とを抽出し、
前記抽出された第１のアドレスと変換規則とを、前記要求したネットワーク装置に送信し、
前記各ネットワーク装置は、
前記送信された変換規則に基づいて、前記第１のアドレスを前記第２のアドレスに変換する関数を生成し、
前記第１のアドレスを前記生成された関数によって前記第２のアドレスに変換し、
前記変換された第２のアドレスを前記各計算機に送信し、
前記各計算機は、前記第２のアドレスを保持することを特徴とするネットワークシステム。
【請求項６】
前記各ネットワーク装置は、
前記送信された第１のアドレスを保持し、
第１の前記ネットワーク装置は、第１の前記計算機に接続され、
第２の前記ネットワーク装置は、第２の前記計算機に接続され、
前記第１の計算機は、前記第２の計算機によって保持される前記第２のアドレスを含むパケットを、前記第１のネットワーク装置に送信し、
前記第１のネットワーク装置は、
前記第１の計算機から送信されたパケットに含まれ、前記第２の計算機によって保持される前記第２のアドレスを、前記第２のネットワーク装置によって保持される前記第１のアドレスに、前記送信された変換規則によって変換し、
前記変換された第１のアドレスを、前記送信されたパケットに付加し、
前記第１のアドレスが付加されたパケットを、前記第２のネットワーク装置へ送信し、
前記第２のネットワーク装置は、
前記第１のネットワーク装置から送信されたパケットに付加された第１のアドレスを削除し、
前記第１のネットワーク装置から送信されたパケットに含まれる第２の計算機の第２のアドレスに基づいて、前記送信されたパケットを、前記第２の計算機に送信することを特徴とする請求項５に記載のネットワークシステム。
【請求項７】
前記ネットワーク装置は、
前記送信された変換規則から、一つの前記第１のアドレスを、二つ以上の前記第２のアドレスに変換する関数を生成し、
第３の前記計算機と第４の前記計算機とに接続され、
前記生成された関数によって変換した結果生成される二つ以上の第２のアドレスを、前記第３の計算機と、前記第４の計算機とに各々割り当て、
前記第３の計算機に割り当てられた前記第２のアドレスを、前記第３の計算機に送信し、
前記第４の計算機に割り当てられた前記第２のアドレスを、前記第４の計算機に送信することを特徴とする請求項５に記載のネットワークシステム。
【請求項８】
前記ネットワーク装置は、前記送信された第１のアドレスと、前記生成された関数とを、前記計算機に送信し、
前記計算機は、前記送信された関数によって、前記第１のアドレスを前記第２のアドレスに変換することを特徴とする請求項５に記載のネットワークシステム。
【請求項９】
前記各ネットワーク装置は、
少なくとも一つの仮想ネットワークに接続され、
前記各ネットワーク装置に、前記仮想ネットワークの接続が追加された際に、前記制御装置に要求を送信することを特徴とする請求項５に記載のネットワークシステム。
【請求項１０】
前記各ネットワーク装置から前記制御装置に送信された要求は、前記各ネットワーク装置が接続された仮想ネットワークを示す識別子を含み、
前記制御装置は、
前記仮想ネットワークに対応する、前記変換規則を保持し、
前記送信された要求に含まれる仮想ネットワークを示す情報に従って、前記変換規則を、前記各ネットワーク装置に送信することを特徴とする請求項９に記載のネットワークシステム。
【請求項１１】
複数の計算機と、複数のネットワーク装置を介して前記複数の計算機と接続される制御装置であって、
前記制御装置は、複数の第１のアドレスと、前記各第１のアドレスを第２のアドレスに変換するための変換規則を保持し、
前記各計算機からの要求に従って、一つの前記第１のアドレスと、一つの前記変換規則とを抽出し、
前記抽出された第１のアドレスと前記抽出された変換規則とによって変換された前記第２のアドレスを、前記各計算機に割り当てるため、前記抽出された第１のアドレスと変換規則とを、前記要求した計算機に送信することを特徴とする制御装置。
【請求項１２】
前記各計算機は、少なくとも一つの仮想ネットワークに接続され、
前記各計算機から前記制御装置に送信された要求は、前記各計算機が接続された仮想ネットワークを示す識別子を含み、
前記制御装置は、
前記仮想ネットワークに対応する、前記変換規則を保持し、
前記送信された要求に含まれる仮想ネットワークを示す識別子に従って、前記変換規則を、前記要求した計算機に送信することを特徴とする請求項１１に記載の制御装置。
【請求項１３】
複数の計算機と、複数のネットワーク装置を介して前記複数の計算機と接続される制御装置であって、
前記制御装置は、
複数の第１のアドレスと、第２のアドレスを前記各第１のアドレスに変換するための変換規則を保持し、
前記各ネットワーク装置の要求に従って、一つの前記第１のアドレスと、一つの前記変換規則とを抽出し、
前記抽出された第１のアドレスを前記要求したネットワーク装置に割り当てるため、前記抽出された第１のアドレスと変換規則とを、前記要求したネットワーク装置に送信することを特徴とする制御装置。
【請求項１４】
前記各ネットワーク装置は、
少なくとも一つの仮想ネットワークに接続され、
前記各ネットワーク装置に、前記仮想ネットワークの接続が追加された際に、前記制御装置に要求を送信することを特徴とする請求項１３に記載の制御装置。
【請求項１５】
前記各ネットワーク装置から前記制御装置に送信された要求は、前記各ネットワーク装置が接続された仮想ネットワークを示す識別子を含み、
前記制御装置は、
前記仮想ネットワークに対応する、前記変換規則を保持し、
前記送信された要求に含まれる仮想ネットワークを示す情報に従って、前記変換規則を、前記各ネットワーク装置に送信することを特徴とする請求項１４に記載の制御装置。
【請求項１６】
複数のネットワーク装置を介して制御装置と接続される複数の計算機であって、
前記制御装置は、複数の第１のアドレスと、前記各第１のアドレスを第２のアドレスに変換するための変換規則を保持し、
前記各計算機は、
前記制御装置に、要求を送信し、
前記制御装置から、前記要求に従った、一つの前記第１のアドレスと、一つの前記変換規則とを送信され、
前記第１のアドレスを前記送信された変換規則によって前記第２のアドレスに変換し、
前記第２のアドレスを保持することを特徴とする計算機。
【請求項１７】
第１の前記計算機は、第２の前記計算機に接続され、
前記第１の計算機は、
前記第１のアドレスを含むパケットを受信した場合、前記送信された変換規則によって、当該パケットに含まれる第１のアドレスを第２のアドレスに変換し、
前記第２のアドレスを当該パケットに付加し、
前記第２のアドレスが付加されたパケットを、当該第２のアドレスを保持する第２の計算機へ送信し、
前記第２の計算機は、前記第１の計算機から送信されたパケットに付加された第２のアドレスを削除することを特徴とする請求項１６に記載の計算機。
【請求項１８】
前記各計算機は、前記各計算機が前記各ネットワーク装置に接続された際に、前記制御装置へ要求を送信することを特徴とする請求項１６に記載の計算機。
【請求項１９】
複数の計算機と、制御装置とに接続されるネットワーク装置であって、
前記制御装置は、複数の第１のアドレスと、第２のアドレスを前記各第１のアドレスに変換するための変換規則を保持し、
前記ネットワーク装置は、
前記制御装置に、要求を送信し、
前記制御装置から、前記要求に従った、一つの前記第１のアドレスと、一つの前記変換規則とを送信され、
前記送信された変換規則に基づいて、前記第１のアドレスを前記第２のアドレスに変換する関数を生成し、
前記第１のアドレスを前記生成された関数によって前記第２のアドレスに変換し、
前記変換された第２のアドレスを、前記各計算機に割り当てるため、前記各計算機に送信することを特徴とするネットワーク装置。
【請求項２０】
前記ネットワーク装置は、
前記送信された第１のアドレスを保持し、
第１の前記ネットワーク装置は、第１の前記計算機に接続され、
第２の前記ネットワーク装置は、第２の前記計算機に接続され、
前記第１のネットワーク装置は、
前記第１の計算機から、前記第２の計算機によって保持される前記第２のアドレスを含むパケットを、送信され、
前記第１の計算機から送信されたパケットに含まれ、前記第２の計算機によって保持される前記第２のアドレスを、前記第２のネットワーク装置によって保持される前記第１のアドレスに、前記送信された変換規則によって変換し、
前記変換された第１のアドレスを、前記送信されたパケットに付加し、
前記第１のアドレスが付加されたパケットを、前記第２のネットワーク装置へ送信し、
前記第２のネットワーク装置は、
前記第１のネットワーク装置から送信されたパケットに付加された第１のアドレスを削除し、
前記第１のネットワーク装置から送信されたパケットに含まれる第２の計算機の第２のアドレスに基づいて、前記送信されたパケットを、前記第２の計算機に送信することを特徴とする請求項１９に記載のネットワーク装置。
【請求項２１】
前記ネットワーク装置は、
前記送信された変換規則から、一つの前記第１のアドレスを、二つ以上の前記第２のアドレスに変換する関数を生成し、
第３の前記計算機と第４の前記計算機とに接続され、
前記生成された関数によって変換した結果生成される二つ以上の第２のアドレスを、前記第３の計算機と、前記第４の計算機とに各々割り当て、
前記第３の計算機に割り当てられた前記第２のアドレスを、前記第３の計算機に送信し、
前記第４の計算機に割り当てられた前記第２のアドレスを、前記第４の計算機に送信することを特徴とする請求項１９に記載のネットワーク装置。
【請求項２２】
前記ネットワーク装置は、前記計算機に前記第１のアドレスと前記関数とによって変換された前記第２のアドレスを割り当てるため、前記送信された第１のアドレスと前記生成された関数とを、前記計算機に送信することを特徴とする請求項１９に記載のネットワーク装置。
【請求項２３】
前記ネットワーク装置は、
少なくとも一つの仮想ネットワークに接続され、
前記ネットワーク装置に、前記仮想ネットワークの接続が追加された際に、前記制御装置に要求を送信することを特徴とする請求項１９に記載のネットワーク装置。